(57)【特許請求の範囲】
【請求項１】
パネルを起立する支柱に取り付けるためのパネル取付具であって、
上記パネルが取り付けられるパネル支持体と、上記支柱にパネル支持体を固定するための固定手段と、を備え、
上記パネル支持体は、上記支柱の外周の少なくとも一部を囲う本体部と、各々が上記本体部につながり、かつ上記支柱と対向させられ、互いに向きの異なる複数の内側縁部と、を有し、
上記各内側縁部は、上記支柱の軸線に略直角である方向を向く内側面を含み、
上記本体部は、上記支柱の軸線方向を向く板状部を含んでおり、
上記板状部に重合させられるアジャスト部材をさらに備える、パネル取付具。
【請求項２】
上記アジャスト部材は、上記支柱の軸線方向視において上記板状部のすべてと重なっている、請求項１に記載のパネル取付具。
【請求項３】
上記パネル支持体は、上記複数の内側面それぞれに対応し、かつ上記板状部に対して上記支柱の軸線方向に突出する複数の突出部を有し、
上記各突出部には、上記アジャスト部材の周縁部が当接させられる、請求項２に記載のパネル取付具。
【請求項４】
上記アジャスト部材は、上記支柱の周りを囲む環状または略環状とされており、
上記各突出部には、上記アジャスト部材の内周縁が当接させられる、請求項３に記載のパネル取付具。
【請求項５】
上記パネル支持体に設けられ、上記支柱に当接させられる緩衝部材をさらに備える、請求項１ないし４のいずれかに記載のパネル取付具。
【請求項６】
上記固定手段は帯状に形成され、かつ、その一面に面ファスナが設けられており、
上記パネル支持体には、帯状の上記固定手段が挿通する孔部が形成されている、請求項１ないし５のいずれかに記載のパネル取付具。
【請求項７】
上記支柱は、床面に載置されるベースから起立しており、当該ベースとともにベルトパーティションスタンドを構成する、請求項１ないし６のいずれかに記載のパネル取付具。
【請求項８】
パネルと、
起立する支柱と、
請求項１ないし７のいずれかに記載のパネル取付具と、を備えており、
上記パネルが上記パネル取付具を介して上記支柱に取り付けられている、パネル付きスタンド。
【発明の詳細な説明】
【技術分野】
【０００１】
本発明は、たとえば床面上などにおいて起立する支柱にパネルを取り付けるためのパネル取付具に関する。
【背景技術】
【０００２】
従来、金融機関やイベント会場などの様々な施設において、歩行者の通路規制などを行うために、ベルトパーティションスタンドが使用されている。ベルトパーティションスタンドは、たとえば、床面に載置されるベースと、このベースから起立する支柱と、支柱の上端に設けられたベルト収納ヘッドとを備えている（たとえば、特許文献１を参照）。ベルトパーティションスタンドの使用時には複数設置し、ベルト収納ヘッドから繰り出したベルトの先端を他のベルトパーティションスタンドに係止する。このようにすることで、隣接するベルトパーティションスタンドの相互間にベルトが張設され、歩行者の通路規制などを行うことができる。
【０００３】
上述のようなベルトパーティションスタンドに対し、案内表示などを目的とするパネルを取り付けて使用する場合がある。たとえば、特許文献２には、ベルトパーティションスタンドの支柱にパネル取付具を装着し、当該パネル取付具を介してパネルを支柱に取り付ける例が記載されている。特許文献２に開示されたパネル取付具は、支柱に当接させられる緩衝部材と、パネルが取り付けられるパネル取付部材とを備えている。パネル取付具の使用時には、緩衝部材が自然状態から変形しつつ支柱に押圧されており、支柱の形状が異なる場合でも取付けが可能である。また、パネル支持部材は、磁石からなるパネル固定部を有し、支柱を挟んでパネル固定部と反対側に巻かれた面ファスナ等によって支柱に固定されている。そして、上記パネル固定部にパネルを吸着保持させことにより、パネル固定部の主面と同じ方向に向けてパネルを取り付けることができる。
【０００４】
上記従来のパネル取付具において、磁石からなるパネル固定部により吸着保持されるパネルは、主に磁性材料たる金属からなる。このため、当該パネル取付具を用いて取り付けられるパネルについては、材質が制限されてしまう。また、金属製のパネルは重量も嵩み、導入コストや安全面において改善の余地があった。
【先行技術文献】
【特許文献】
【０００５】
【特許文献１】特許第３６９４７２３号公報
【特許文献２】特開２０１３−２３４４５６号公報
【発明の概要】
【発明が解決しようとする課題】
【０００６】
本発明は、このような事情のもとで考え出されたものであって、起立する支柱に様々な態様のパネルを取り付けるのに適したパネル取付具を提供することを主たる課題とする。
【課題を解決するための手段】
【０００７】
上記の課題を解決するため、本発明では、次の技術的手段を講じている。
【０００８】
本発明の第１の側面によって提供されるパネル取付具は、パネルを起立する支柱に取り付けるためのパネル取付具であって、上記パネルが取り付けられるパネル支持体と、上記支柱にパネル支持体を固定するための固定手段と、を備え、上記パネル支持体は、上記支柱の外周の少なくとも一部を囲う本体部と、各々が上記本体部につながり、かつ上記支柱と対向させられ、互いに向きの異なる複数の内側縁部と、を有することを特徴としている。
【０００９】
好ましい実施の形態においては、上記各内側縁部は、上記支柱の軸線に略直角である方向を向く内側面を含む。
【００１０】
好ましい実施の形態においては、上記本体部は、上記支柱の軸線方向を向く板状部を含んでおり、上記板状部に重合させられるアジャスト部材をさらに備える。
【００１１】
好ましい実施の形態においては、上記アジャスト部材は、上記支柱の軸線方向視において上記板状部のすべてと重なっている。
【００１２】
好ましい実施の形態においては、上記パネル支持体は、上記複数の内側面それぞれに対応し、かつ上記板状部に対して上記支柱の軸線方向に突出する複数の突出部を有し、上記各突出部には、上記アジャスト部材の周縁部が当接させられる。
【００１３】
好ましい実施の形態においては、上記アジャスト部材は、上記支柱の周りを囲む環状または略環状とされており、上記各突出部には、上記アジャスト部材の内周縁が当接させられる。
【００１４】
好ましい実施の形態においては、上記パネル支持体に設けられ、上記支柱に当接させられる緩衝部材をさらに備える。
【００１５】
好ましい実施の形態においては、上記固定手段は帯状に形成され、かつ、その一面に面ファスナが設けられており、上記パネル支持体には、帯状の上記固定手段が挿通する孔部が形成されている。
【００１６】
好ましい実施の形態においては、上記支柱は、床面に載置されるベースから起立しており、当該ベースとともにベルトパーティションスタンドを構成する。
【００１７】
本発明の第２の側面によって提供されるパネル付きスタンドは、パネルと、起立する支柱と、本発明の第１の側面に係るパネル取付具と、を備えており、上記パネルが上記パネル取付具を介して上記支柱に取り付けられていることを特徴としている。
【００１８】
本発明のその他の特徴および利点は、添付図面を参照して以下に行う詳細な説明によって、より明らかとなろう。
【図面の簡単な説明】
【００１９】
【図１】本発明に係るパネル取付具の一例を示す分解斜視図である。
【図２】本発明に係るパネル取付具の組付け状態を示す斜視図である。
【図３】パネル支持体を示す平面図である。
【図４】本発明に係るパネル取付具が用いられるベルトパーティションスタンドの一例を示す斜視図である。
【図５】本発明に係るパネル付きスタンドの一例を示す斜視図である。
【図６】図５に示すパネル付きスタンドの平面図である。
【図７】図５のＶＩＩ−ＶＩＩ線に沿う断面図である。
【図８】本発明に係るパネル付きスタンドの他の例を示す斜視図である。
【図９】図８に示すパネル付きスタンドの平面図である。
【図１０】本発明に係るパネル付きスタンドの他の例を示す斜視図である。
【図１１】図１０に示すパネル付きスタンドの平面図である。
【図１２】本発明に係るパネル付きスタンドの他の例を示す斜視図である。
【図１３】図１２に示すパネル付きスタンドの平面図である。
【発明を実施するための形態】
【００２０】
以下、本発明の好ましい実施の形態について、図面を参照して具体的に説明する。
【００２１】
図１、図２は、本発明に係るパネル取付具の一例を示す。図１に示すパネル取付具Ａ１は、ベルトパーティションスタンドにパネルを取り付ける際に用いられるものである。図４は、ベルトパーティションスタンドの一例を示す。図５〜図７は、本発明に係るパネル付きスタンドの一例を示す。
【００２２】
図４に示すように、ベルトパーティションスタンド１０は、ベース１１と、このベース１１から起立する支柱１２と、支柱１２に連結されるベルト収納ヘッド１３と、パーティションベルト１４と、を備えている。
【００２３】
ベース１１は、床面に載置される部材であり、平面視略円形の板状とされている（図５参照）。支柱１２は、円柱状に形成されている。図示説明は省略するが、支柱１２は、ベース１１に対して、たとえばねじを用いた締結によって着脱可能に連結されている。なお、図５では、支柱１２の内部構造を省略している。ベース１１には、一定幅の切欠き１１１が形成されている。この切欠き１１１の幅寸法は、支柱１２の外径よりも少し大とされている。複数のベルトパーティションスタンド１０を収納する際には、支柱１２が別のベルトパーティションスタンド１０の切り欠き１１に嵌り込むようにすると、収納スペースを縮小することができる。
【００２４】
ベルト収納ヘッド１３は、支柱１２の上端に連結されており、円筒状の外形を有している。ベルト収納ヘッド１３の外周直径は支柱１２の外周直径よりも大きくなっている。ベルト収納ヘッド１３の軸方向における長さは、たとえば１５ｃｍ程度とされる。ベルト収納ヘッド１３は、パーティションベルト１４を収容する。なお、図示説明は省略するが、ベルト収納ヘッド１３は、支柱１２に対して、たとえばねじを用いた締結によって着脱可能に連結されている。
【００２５】
パーティションベルト１４は、ベルト収納ヘッド１３に設けられたスリット状のベルト導出部１３１を通じてベルト収納ヘッド１３の外部に繰り出し可能とされている。ベルト収納ヘッド１３内部の詳細な図示は省略するが、パーティションベルト１４は、たとえば、その基端部がベルト収納ヘッド１３内に設けられたリールの巻軸に固定され、かつベルト全体がこの巻軸に巻回されており、付勢手段によって巻き取り方向に付勢されている。パーティションベルト１４の先端部には、ベルトエンド１４１が設けられている。ベルトエンド１４１は、概略円柱状とされており、このベルトエンド１４１の下端から上端近傍にかけて横断面Ｔ字状の溝が形成されている。なお、上記のようなパーティションベルト１４が繰り出し可能に収納される構造自体は、周知の技術（たとえば実用新案登録第３００８７６２号公報に記載の技術）によって実現される。
【００２６】
ベルト収納ヘッド１３の外面には、複数のベルトエンド受け部１３２が設けられている。これらベルトエンド受け部１３２は、ベルト導出部１３１に対して周方向に９０°ずつずれた３箇所に位置している。各ベルトエンド受け部１３２は、軸方向に沿って一定長さ延びるようにして横断面Ｔ字状に形成されており、ベルトエンド１４１に設けられた溝に嵌合可能となっている。ベルトパーティションスタンド１０の使用時には、パーティションベルト１４を繰り出すとともに、当該ベルト１４のベルトエンド１４１の溝に他のベルトパーティションスタンド１０のベルトエンド受け部１３２を嵌合させる。これにより、隣接するベルトパーティションスタンド１０の相互間にパーティションベルト１４を張設することができる。
【００２７】
図５〜図７に示すパネル付きスタンドＢ１は、図４に示したベルトパーティションスタンド１０と、パネル２０と、パネル取付具Ａ１とを備えている。
【００２８】
パネル２０は、屈曲状につながる４つの平板部２１を備え、これら平板部２１は、平面視において略矩形状をなしている。なお、図５〜図７において、パネル２０を仮想線で表している。
【００２９】
各平板部２１は、高さ方向を長手方向とする略長矩形状とされており、案内表示等が描画される表示面２１ａと、表示面２１ａの反対を向く背面２１ｂとを有している。本実施形態のパネル２０は、たとえばプラスチックダンボール、合成樹脂、あるいは発泡樹脂からなるシート材により構成される。パネル２０は、たとえば４つの平板部２１と重合部（図示略）とが一定方向につながるシート材の適所を屈曲させるとともに、重合部を平板部２１に重ね合わせて接着剤や粘着シート等により固定することで形成される。なお、表示面２１ａに直接案内表示等を描画せずに、案内表示等が描画されたシール等を表示面２１ａに貼ってもよい。
【００３０】
図１、図２に示すように、パネル取付具Ａ１は、パネル支持体３０と、緩衝部材４０と、固定手段５０と、アジャスト部材６０と、を備えている。
【００３１】
パネル支持体３０は、本体部３１と、複数の内側縁部３２と、複数の外側縁部３３と、突出部３４と、を備えている。本体部３１は、支柱１２の外周の少なくとも一部を囲っている（図３、図５参照）。本体部３１は、板状部３１１と、延出片３１２とを有する。
【００３２】
板状部３１１は、支柱１２の軸線Ｏｘに対して略垂直な面に沿った平板状である。したがって、板状部３１１は、支柱１２の軸線Ｏｘ方向を向いている。板状部３１１は、平面視（軸線Ｏｘ方向視）において略Ｌ字状をなしている。延出片３１２は、略Ｌ字状をなす板状部３１１の両端から下方に延びるように設けられている。
【００３３】
複数の内側縁部３２は、各々が支柱１２と対向させられるとともに、互いに向きが異なっている。各内側縁部３２は、平板状とされており、板状部３１１に対して略直角となる姿勢で当該板状部３１１（本体部３１）につながっている。本実施形態においては、２つの内側縁部３２が設けられている。図３によく表れているように、これら２つの内側縁部３２が向く方向は、平面視（軸線Ｏｘ方向視）において略直角である。各内側縁部３２は、その端部において延出片３１２につながっている。各内側縁部３２には、延出片３１２の近傍において孔部３２１が形成されている。
【００３４】
各内側縁部３２は、内側面３２ａを有する。内側面３２ａは、内側縁部３２のうち支柱１２側を向く面である。本実施形態においては、各内側面３２ａは、支柱１２の軸線Ｏｘに略直角である方向を向く。なお、本実施形態では、２つの内側縁部３２の間が湾曲状につながっている。
【００３５】
複数の外側縁部３３は、各々、本体部３１を挟んで支柱１２と反対側に位置する。複数（本実施形態では２つ）の外側縁部３３は、互いに向きが異なっている。
【００３６】
複数の突出部３４は、板状部３１１に対して支柱の軸線Ｏｘ方向の一方（図１、図２等に示した状態では上方）に突出している。これら突出部３４は、複数の内側面３２ａそれぞれに対応して設けられている。本実施形態においては、２つの突出部３４が設けられており、内側縁部３２とつながって板状部３１１から上方に延びる部分が突出部３４に相当する。これら突出部３４は、それぞれが互いに異なる方向に直線状に延びている。上記構成を有するパネル支持体３０は、たとえばポリプロピレンなどの合成樹脂によって一体的に形成される。
【００３７】
緩衝部材４０は、パネル支持体３０に設けられている。具体的には、緩衝部材４０は、２つの内側縁部３２における内側面３２ａに跨って固定されている。緩衝部材４０は、たとえば、ウレタンまたはポリエチレン製の発泡材からなり、外力で容易に変形させることができる。パネル取付具Ａ１を用いてパネル支持体３０をベルトパーティションスタンド１０の支柱１２に取り付けた状態において、緩衝部材４０は支柱１２に当接させられている（図７参照）。さらに、図７に示すように、緩衝部材４０は支柱１２の形状にあわせて自然状態から変形している。
【００３８】
固定手段５０は、支柱１２にパネル支持体３０を固定するためのものである。本実施形態において、固定手段５０は、帯状に形成されており、一面に面ファスナ５１が設けられている。面ファスナ５１には、フックとループの双方が形成されており、折り返して貼り合わせることが可能となっている。パネル取付具Ａ１を用いてパネル２０をベルトパーティションスタンド１０の支柱１２に取り付けた状態において、緩衝部材４０が支柱１２に当接するとともに、固定手段５０の両端部は折り返された面ファスナ５１が貼り合わされて環状に形成されている。図１、図２に示すように、固定手段５０の両端部は、両孔部３２１に挿通しており、延出片３１２に巻き付けられている。
【００３９】
アジャスト部材６０は、パネル支持体３０の板状部３１１に重合させられて使用する部材である。本実施形態において、アジャスト部材６０は、平板状であるとともに、支柱１２の周りを囲むことができるよう環状とされている。なお、図２、図５〜図７において、アジャスト部材６０を仮想線で表している。
【００４０】
本実施形態においては、アジャスト部材６０の外周縁６１は、パネル２０の平面視形状に対応する形状（略矩形状）とされている（図６、図７参照）。アジャスト部材６０において、環状をなす内周縁６２は、略矩形状とされている。環状を内周縁６２の平面視サイズは、ベルト収納ヘッド１３の平面視サイズよりも大とされている。本実施形態のアジャスト部材６０は、たとえばプラスチックダンボール、あるいは合成樹脂からなるシート材により構成される。なお、アジャスト部材６０は、支柱１２の周りを囲むように略環状とさていてもよい。即ち、支柱１２周りにおいて必ずしも無端状（エンドレス）につながっていなくてもよい。
【００４１】
図２に示すように、アジャスト部材６０の使用時においては、内周縁６２がパネル支持体３０の各突出部３４に当接している。本実施形態においては、内周縁６２の２つの辺が、２つの直線状の突出部３４それぞれに沿うように当接する。そして、図２に示す状態でアジャスト部材６０がパネル支持体３０（板状部３１１）に固定されている。アジャスト部材６０の板状部３１１への固定は、たとえば粘着テープ、接着剤、面ファスナ等の適宜手段により行う。アジャスト部材６０は、板状部３１１に対して着脱可能に固定してもよし、分離できないように固定してもよい。
【００４２】
本実施形態では、上記構成のパネル取付具Ａ１を介して、パネル２０が支柱１２によって起立状態で支持されている。パネル取付具Ａ１を支柱１２に固定する際、まず、パネル取付具Ａ１を支柱１２の上方から降ろし、アジャスト部材６０の内周縁６２の内側空間にベルト収納ヘッド１３を通す。そして、支柱１２の適当な高さ位置においてパネル取付具Ａ１を固定する。ここで、固定手段５０の一方の端部のみを内側縁部３２ないし延出片３１２の一方に固定しておく。次に、緩衝部材４０を支柱１２に当接させ、固定手段５０の他方の端部を他方の内側縁部３２における孔部３２１に挿通させる。このとき、緩衝部材４０に支柱１２が食い込むように力を加えておく。その後、固定手段５０の他方の端部を折り返し、面ファスナ５１同士を貼り合わせることにより固定する。このようにすることで、支柱１２が緩衝部材４０および固定手段５０によって締め付けられる状態となり、パネル取付具Ａ１を支柱１２により強固に固定することができる。
【００４３】
本実施形態においては、２つのパネル取付具Ａ１を用いて、パネル２０が支柱１２によって起立状態に支持される。これら２つのパネル取付具Ａ１は、支柱１２に対する高さ位置が互いに異ならせられる。その一方、これらパネル取付具Ａ１は、支柱１２の軸線Ｏｘ周りにおける回転方向位置が揃っている。
【００４４】
パネル２０をパネル取付具Ａ１により支持させる方法としては、たとえばパネル２０となるべき展開状態のシート材を準備し、当該シート材によってアジャスト部材６０の周囲を囲みながら適所を折り曲げて４つの平板部２１および重合部を形成する。次いで、重合部と平板部２１とを適宜手段で固定する。これにより、パネル２０はパネル取付具Ａ１により支持される。このとき、アジャスト部材６０の外周縁６１は、各平板部２１の内側面（背面２１ｂ）に当接ないし近接している。なお、展開状態のシート材を巻き付けてパネル２０を形成する方法は、パネル２０の高さ寸法が比較的に大きい場合に適している。
【００４５】
パネル２０をパネル取付具Ａ１により支持させる他の方法としては、４つの平板部２１を有する平面視矩形状のパネル２０を予め準備し、当該パネル２０を、アジャスト部材６０を囲うように上方から被せる方法が挙げられる。この場合においても、アジャスト部材６０の外周縁６１は、各平板部２１の内側面（背面２１ｂ）に当接ないし近接している。
【００４６】
パネル２０の適所には、ベルトパーティションスタンド１０のパーティションベルト１４およびベルトエンド１４１を通すための開口（図示略）が形成されている。当該開口を通じて、パーティションベルト１４をパネル２０の外側に繰り出すことが可能となっている。
【００４７】
なお、図５において仮想線で示すように、パネル２０の上端には、必要に応じて蓋部材７０が装着される。蓋部材７０は、４つの平板部２１によって形成された上端開口２０ａを塞いでいる。蓋部材７０は、上端開口２０ａに対応するサイズの矩形状の天井板７１と、天井板の４辺それぞれから下方に延びる延出片７２とを有し、延出片７２が各平板部２１の上端２１１を囲むように装着される。
【００４８】
次に、本実施形態の作用について説明する。
【００４９】
図２、図５〜図７等に示したパネル取付具Ａ１は、使用時において、固定手段５０によってベルトパーティションスタンド１０の支柱１２に固定される。パネル取付具Ａ１のパネル支持体３０は、支柱１２の外周の少なくとも一部を囲う本体部３１と、各々が本体部３１につながる複数の内側縁部３２とを有する。これら内側縁部３２は、各々が支柱１２と対向させられ、かつ互いに向きが異ならせられている。このような構成によれば、支柱１２に対してパネル取付具Ａ１を所定の姿勢で固定することができる。そして、パネル取付具Ａ１を用いれば、当該パネル取付具Ａ１を囲うように筒状のパネル２０を配置することによって、パネル２０をベルトパーティションスタンド１０の支柱１２よって支持させることができる。
【００５０】
また、本実施形態によれば、パネル２０の材質に制限されることなく当該パネル２０が支持される。したがって、本実施形態と異なり、パネル支持体に磁石を用いてパネルを吸着保持する場合と比べて、支持されるパネル２０として様々な材質のものを適宜選択して用いることができる。
【００５１】
各内側縁部３２は、支柱１２の軸線Ｏｘに略直角である方向を向く内側面３２ａを含む。このような構成によれば、固定手段５０による支柱１２へのパネル支持体３０の取り付けを適切に行うことができる。
【００５２】
本体部３１は、支柱１２の軸線Ｏｘを向く板状部３１１を含む。また、パネル取付具Ａ１は、板状部３１１に重合させられるアジャスト部材６０を備える。このようなアジャスト部材６０を具備する構成によれば、アジャスト部材６０の外周縁６１をパネル２０の平面視形状に対応させることで、種々な平面視形状のパネル２０の取り付けに対応可能である。
【００５３】
アジャスト部材６０は、支柱１２の軸線Ｏｘ方向視において板状部３１１のすべてと重なっている。また、パネル支持体３０は、複数の内側面３２ａそれぞれに対応し、かつ板状部３１１に対して支柱１２の軸線Ｏｘ方向に突出する複数の突出部３４を有する。これら突出部３４の各々には、アジャスト部材６０の周縁部（内周縁６２）が当接させられる。このような構成によれば、パネル支持体３０に対するアジャスト部材６０の位置決めが適切になされる。したがって、上記のようなアジャスト部材６０を介在させることにより、支柱１２（ベルトパーティションスタンド１０）に対して、パネル２０を所望の位置に配置することができる。
【００５４】
アジャスト部材６０は支柱１２の周りを囲む環状とされており、各突出部３４には、アジャスト部材６０の内周縁６２が当接させられる。このような構成によれば、パネル２０が平面視筒状である場合において、アジャスト部材６０の外周縁６１をパネル２０の平面視形状に対応させることで、支柱１２に対してパネル２０を所望の位置に適切に配置することができる。
【００５５】
図８〜図１３は、本発明に係るパネル付きスタンドの他の例を示している。これらの図においては、上記実施形態と同一または類似の要素には、同一の符号を付しており、適宜説明を省略する。
【００５６】
図８、図９に示すパネル付きスタンドＢ２は、ベルトパーティションスタンド１０と、パネル２０と、パネル取付具Ａ２とを備えている。本実施形態においては、パネル２０の形状が上記実施形態とは異なっており、それに伴ってアジャスト部材６０の形状が上記実施形態と異なっている。ただし、パネル２０およびアジャスト部材６０を除いた他の要素については、上記実施形態と実質的に同一である。
【００５７】
本実施形態において、パネル２０は、平面視三角形状をなす筒状とされており、３つの平板部２１を備えて構成されている。アジャスト部材６０は、環状とされておらず、パネル２０の３つの平板部２１それぞれに対応する外周縁６１と、パネル支持体３０の各突出部３４に当接する外周縁６３（周縁部）とを有する。このような構成によっても、上記したパネル付きスタンドＢ１およびパネル取付具Ａ１と同様の作用効果を奏することができる。
【００５８】
図１０、図１１に示すパネル付きスタンドＢ３は、ベルトパーティションスタンド１０と、パネル２０と、パネル取付具Ａ３とを備えている。本実施形態においては、パネル２０の形状が上記実施形態とは異なっており、それに伴ってアジャスト部材６０の形状が上記実施形態と異なっている。ただし、パネル２０およびアジャスト部材６０を除いた他の要素については、上記実施形態と実質的に同一である。
【００５９】
本実施形態において、パネル２０は、平面視円形をなす筒状とされており、円筒部２１'を備えて構成されている。アジャスト部材６０は、環状とされており、パネル２０の円筒部２１'に対応する円形の外周縁６１を有する。このような構成によっても、上記したパネル付きスタンドＢ１およびパネル取付具Ａ１と同様の作用効果を奏することができる。
【００６０】
図１２、図１３に示すパネル付きスタンドＢ４は、ベルトパーティションスタンド１０と、パネル２０と、パネル取付具Ａ４とを備えている。本実施形態においては、パネル２０の形状が上記実施形態とは異なっており、それに伴ってアジャスト部材６０の形状が上記実施形態と異なっている。ただし、パネル２０およびアジャスト部材６０を除いた他の要素については、上記実施形態と実質的に同一である。
【００６１】
本実施形態において、パネル２０は、平面視Ｌ字状をなして筒状とされておらず、２つの平板部２１を備えて構成されている。アジャスト部材６０は、環状とされておらず、パネル２０の２つの平板部２１それぞれに対応する外周縁６１と、パネル支持体３０の各突出部３４に当接する外周縁６３（周縁部）とを有する。
【００６２】
また、本実施形態においては、アジャスト部材６０は、たとえば外周縁６１の適所から延びる複数の接合片６４を有する。接合片６４は、平板部２１の背面２１ｂに重ね合わされた状態にて、接着等の適宜手段により平板部２１（背面２１ｂ）に接合される。このようにして、パネル２０は、支柱１２に対してパネル２０を所定の位置に配置することができる。このような構成によっても、上記したパネル付きスタンドＢ１およびパネル取付具Ａ１と同様の作用効果を奏することができる。
【００６３】
以上、本発明の具体的な実施形態を説明したが、本発明はこれに限定されるものではなく、発明の思想から逸脱しない範囲内で種々な変更が可能である。本発明に係るパネル取付具およびパネル付きスタンドの各部の具体的な構成は、種々に設計変更自在である。
【００６４】
上記実施形態では、パネル取付具における固定手段が面ファスナを具備する場合を例に挙げて説明したが、パネル支持体３０を支柱１２に固定する手段は面ファスナ５１に限定されず種々の構成を採用することができる。
【００６５】
上記実施形態においては、パネル取付具Ａ１（Ａ２，Ａ３，Ａ４）がベルトパーティションスタンド１０の支柱１２に装着される場合を例示したが、本発明に係るパネル取付具は、ベルトパーティションスタンド１０の支柱１２以外の様々な支柱に装着することができる。パネル取付具が装着される支柱としては、たとえばチェーンが掛け止められた支柱であってもよいし、また、床面上や地面上に起立する支柱であれば可搬式のものに限定されず、たとえば地中に埋設固定される支柱など如何なる構成でもよい。
【符号の説明】
【００６６】
Ａ１，Ａ２，Ａ３，Ａ４    パネル取付具
Ｂ１，Ｂ２，Ｂ３，Ｂ４    パネル付きスタンド
Ｏｘ        （支柱の）軸線
１０        ベルトパーティションスタンド
１１        ベース
１２        支柱
１３        ベルト収納ヘッド
１４        パーティションベルト
２０        パネル
２０ａ      上端開口
２１        平板部
２１'      円筒部
２１ａ      表示面
２１ｂ      背面
２１１      上端
３０        パネル支持体
３１        本体部
３１１      板状部
３１２      延出片
３２        内側縁部
３２ａ      内側面
３２１      孔部
３３        外側縁部
３４        突出部
４０        緩衝部材
５０        固定手段
５１        面ファスナ
６０        アジャスト部材
６１        外周縁
６２        内周縁
６３        外周縁（周縁部）
６４        接合片
７０        蓋部材
７１        天井板
７２        延出片
【図１】
0006626291.tif 000002
【図２】
0006626291.tif 000003
【図３】
0006626291.tif 000004
【図４】
0006626291.tif 000005
【図５】
0006626291.tif 000006
【図６】
0006626291.tif 000007
【図７】
0006626291.tif 000008
【図８】
0006626291.tif 000009
【図９】
0006626291.tif 000010
【図１０】
0006626291.tif 000011
【図１１】
0006626291.tif 000012
【図１２】
0006626291.tif 000013
【図１３】
0006626291.tif 000014